(57)【要約】【課題】安定した姿勢を保ちつつ引き寄せることが可能な釣り用引き舟を提供すること。【解決手段】魚を入れる引き舟本体１２の船首側からＵ字状に突出するハンドルロープ１４に、支持体１６を介して牽引ロープ１８を取付け、この牽引ロープ１８により、水の流れに抗して引き舟本体１２を牽引可能とした釣り用引き舟１０であって、引き舟本体１２と支持体１６との少なくとも一方に、牽引ロープ１８による牽引方向の変化に応じてハンドルロープ１４に沿って移動するローラ４８を設け、牽引方向の変化に伴う船首側の回動を抑制した釣り用引き舟１０。【選択図】    図３
2008011701.tif 000002
【特許請求の範囲】
【請求項１】
魚を入れる引き舟本体の前部側からＵ字状に突出するハンドルロープの中間部に、支持体を介して牽引ロープを取付け、この牽引ロープにより、水の流れに抗して引き舟本体を牽引可能とした釣り用引き舟であって、
前記引き舟本体と支持体との少なくとも一方に、牽引ロープによる牽引方向の変化に応じて前記ハンドルロープが移動するための誘導体を設けたことを特徴とする釣り用引き舟。
【請求項２】
前記誘導体は、外周部に前記ハンドルロープが巻掛けられるローラであることを特徴とする請求項１に記載の釣り用引き舟。
【請求項３】
前記支持体は、前記ハンドルロープが出入りする一対の開口を有し、水面に沿って移動可能であることを特徴とする請求項１または２に記載の釣り用引き舟。
【請求項４】
前記支持体は、前記ハンドルロープが出入りする一対の開口を有し、前記誘導体は、これらの開口間で支持体に形成された支持ブロックを有し、前記一対の開口を介して出入りするハンドルロープがこの支持ブロックに形成された円弧状面に巻掛けられ、前記牽引方向が変化したときに、支持ブロックの円弧状面を介してハンドルロープが摺動することを特徴とする請求項１に記載の釣り用引き舟。
【請求項５】
前記ローラは、支持体に設けられ、前記ハンドルロープは引き舟本体の前部の離隔した２つの位置に固定されることを特徴とする請求項２に記載の釣り用引き舟。
【発明の詳細な説明】
【技術分野】
【０００１】
本発明は、魚を入れる引き舟本体の前部船首側からＵ字状に突出するハンドルロープに、支持体を介して牽引ロープを取付け、この牽引ロープにより、水の流れに抗して引き舟本体を牽引可能とした釣り用引き舟に関する。
【背景技術】
【０００２】
例えば鮎釣り等では、活きの良いおとりの魚を収容する釣り用引き舟が用いられている。このような釣り用引き舟は、釣人が流れの中に立ち入り、牽引ロープを介して水の流れの中に引き流しておき、必要に応じて牽引ロープを引き寄せ、引き舟本体の中に収容したおとりの魚と交換し、あるいは釣れた魚を活きた状態で泳がせておく。
【０００３】
このような釣り用引き舟には、魚を入れる引き舟本体の前部すなわち船首側で左右に離隔した部位から長短２本のロープを延設し、短いロープの先端を固定すると共に長いロープの中間部を固定する把手本体に、この長いロープの固定及び解放機構を設け、これらの把手本体及びロープが形成するループ状の把手の大きさを調整するものがある（例えば特許文献１参照）。
【特許文献１】実開平３−７１７７２号公報
【発明の開示】
【発明が解決しようとする課題】
【０００４】
従来の釣り用引き舟は、釣人から離れた位置で水の流れにまかせて引き流しておく状態では、前部すなわち舟首側が水の流れに対向する姿勢を保持し、安定した状態を維持することができるものであるが、しかし、牽引ロープを引いて釣人の近くに引き寄せる際、水の流れを横切る方向に寄せたり、釣人が流れの中で移動すると、水の流れに対して斜めの方向を向く。このため、水から受ける抵抗が大きくなる。更に、斜め方向から水の抵抗を受けることで、引き舟の動きが不自然となり、転覆し易く、内部に収容した魚を傷付ける虞が高くなる。
【０００５】
本発明は、このような事情に基づいてなされたもので、安定した姿勢を保ちつつ引き寄せることが可能な釣り用引き舟を提供することを目的とする。
【課題を解決するための手段】
【０００６】
上記課題を解決するため、本発明によると、魚を入れる引き舟本体の前部側からＵ字状に突出するハンドルロープに、支持体を介して牽引ロープを取付け、この牽引ロープにより、水の流れに抗して引き舟本体を牽引可能とした釣り用引き舟であって、前記引き舟本体と支持体との少なくとも一方に、牽引ロープによる牽引方向の変化に応じて前記ハンドルロープが移動するための誘導体を設けた釣り用引き舟が提供される。
【０００７】
前記誘導体は、外周部に前記ハンドルロープが巻掛けられるローラであってもよい。
【０００８】
また、前記支持体は、前記ハンドルロープが出入りする一対の開口を有し、水面に沿って移動可能であることが好ましい。
【０００９】
前記牽引ロープは、捩れ防止手段を介して前記支持体に取付けられることが好ましい。
【００１０】
前記支持体は、前記ハンドルロープが出入りする一対の開口を有し、前記誘導体は、これらの開口間で支持体に形成された支持ブロックを有し、前記一対の開口を介して出入りするハンドルロープがこの支持ブロックに形成された円弧状面に巻掛けられ、前記牽引方向が変化したときに、支持ブロックが円弧状面を介して支持体と共にハンドルロープ上を摺動することも可能である。
【００１１】
更に、前記ローラは、支持体に設けられ、前記ハンドルロープは引き舟本体の前部の離隔した２つの位置に固定されることが好ましい。
【発明の効果】
【００１２】
本発明の釣り用引き舟によると、牽引ロープの一端を保持して引き舟本体を引き流した状態から、牽引ロープを水の流れに対して斜めの方向に引くと、牽引方向の変化に応じて誘導体がハンドルロープに沿って移動する。水の流れに対して、引き舟本体の姿勢が変化することを防止する。これにより、水の流れに対して斜めに引き込んだ場合であっても、引き舟本体を安定した姿勢を保ちつつ引き寄せることができる。
【００１３】
誘導体を、ハンドルロープが巻掛けられるローラで形成する場合には、極めて簡単に移動させることができる。
【００１４】
支持体が水面に沿って移動する場合には、ハンドルロープに無理な力を作用させることなく、水の流れに対して斜めの方向であっても、引き舟本体を滑らかに引き寄せることができる。
【００１５】
更に、誘導体が支持体に形成された支持ブロックを有し、この支持ブロックの円弧状面に沿ってハンドルロープが摺動する場合には、極めて構造が簡略化される。
【００１６】
更にローラが支持体に設けられ、ハンドルロープは引き舟本体の前部の離隔した２つの位置に固定される場合には、ハンドルロープを介して引き舟本体を吊り下げたときに、安定して保持することができる。
【発明を実施するための最良の形態】
【００１７】
図１から図６は、本発明の好ましい実施形態による釣り用引き舟１０を示し、図１および図２は、鮎の友釣り釣り等の実釣り中に、釣り人が引き舟本体１２を川の流れの中に引き流している状態を示す。
【００１８】
この釣り用引き舟１０は、おとりの魚を活きた状態で泳がせておく引き舟本体１２の前部すなわち船首側から左右対称状のＵ字状あるいはループ状にハンドルロープ１４を突出し、支持体１６を介してこのハンドルロープ１４に取り付けた牽引ロープ１８により、水の流れに抗して引き舟本体１２を牽引することができる。通常、この牽引ロープ１８の先端には、釣人の腰ベルトＷに結合するベルト取付具２０が取り付けられている。通常の持運びの際は、ハンドルロープ１４を取っ手として用いることで、移動を容易に行うことができる。
【００１９】
本実施形態の引き舟本体１２は、前部の外面形状が左右対称的な船形に形成されたその船首部に、水を取入れる入水孔２２を有し、上側には、おとりの魚を取り出すための魚取出口２４が形成されている。この魚取出口２４は、一端側が引き舟本体１２にヒンジ２６を介して取付けられた蓋体２８で閉じられており、他端側に設けられた摘み３０を介して自在に開閉することができる。更に、この蓋体２８の中央には、一対の板状の蓋３２を配置した魚投入口３４が形成されている。この蓋３２は、魚を投入する際に、その重みで開き、この引き舟本体１２からの飛び出しを防止する。
【００２０】
この引き舟本体１２の前部からＵ字状に突出するハンドルロープ１４は、両端を引き舟本体１２の前部で、船首すなわち前部側を通る縦方向中心線（図示しない）を中心として左右対称でかつ深さ方向にも等しい互いに離隔した位置に固定されるのが好ましい。ハンドルロープ１４の端部が、引き舟本体１２の前部の離隔した２つの位置に固定されることにより、ハンドルロープ１４を介して引き舟本体１２を吊り下げたときに、安定して保持することができ、また、安定して流れに引き流すことができる。このハンドルロープ１４には、牽引ロープ１８の一端を取付けた支持体１６が装着されている。
【００２１】
図３および図４に示すように、本実施形態の支持体１６は、ほぼ等脚台形状に側壁部を延設したベース部材３６と、このベース部材３６の開口部に嵌合するカバー部材３８とを有し、これらのベース部材３６とカバー部材３８とを互いに嵌合して一体化したときに、内部に台形状の内部空間４０を形成する。
【００２２】
このベース部材３６の短辺側の側壁部３６ａには、前部孔４２が貫通して形成されており、この前部孔４２に挿通された牽引ロープ１８の端部が、内部空間４０内に配置した係止リング４４で抜け止めされている。この係止リング４４は支持体１６に対して自由に回転することができる。したがって、係止リング４４は、支持体１６に対して牽引ロープ１８の捩れを防止する捩れ防止手段として作用し、牽引ロープ１８が複雑な動きで捩れた場合であっても、支持体１６およびハンドルロープ１４を介して引き舟本体１２に複雑な力が作用するのを防止する
このベース部材３６の底壁３６ｂから内部空間４０内に上下方向に支持軸４６が突出し、この支持軸４６に、誘導体として、後述するローラ４８が回転自在に装着される。支持軸４６の先端はカバー部材３８に形成した貫通孔あるいは凹部５０に嵌合し、このカバー部材３８を介してベース部材３６で支えられる。この支持軸４６は、牽引ロープ１８を挿通する前部孔４２の軸線と直交する方向に延在するのが好ましい。
【００２３】
また、ベース部材３６の長辺側の側壁部３６ｃから隣接する脚部側の側壁部３６ｄ，３６ｅにかけての引き舟本体１２側（の両側）に、ハンドルロープ１４を挿通する長孔５２ａ，５２ｂが形成されている。これらの長孔５２ａ，５２ｂを介してハンドルロープ１４が支持体１６の内部空間４０に導かれ、これから繰出される。これらの長孔５２ａ，５２ｂは、ハンドルロープ１４を支持体１６内部空間４０内に移動自在に保持できるものであればどのようなものでもよく、互いに連続させてもよい。
【００２４】
これらの長孔５２ａ，５２ｂを介して支持体１６の内部空間４０内に延びるハンドルロープ１４は、支持軸４６に装着されたローラ４８に巻掛けられ、これらの長孔５２ａ，５２ｂ間で、側壁部３６ｄ，３６ｅとローラ４８との間に形成される案内路により、ローラ４８から脱落しないように保持される。このローラ４８は、図４に示すように、ハンドルロープ１４を案内する外周溝４８ａを有し、この外周溝４８ａを介してハンドルロープ１４に摩擦係合している。このローラ４８は、引き舟本体１２に作用する力を支えつつ支持軸４６上を回動することができるものであれば、適宜の材料で形成することができ、錆びの発生を防止するために、樹脂製であることが好ましい。また、必要な場合には、適宜の軸受（図示しない）を介して支持軸４６上に回転自在に装着してもよい。また、ハンドルロープ１４との間に摩擦力を形成するために、外周溝４８ａの内面に滑り止めをほどこしてもよい。
【００２５】
このような支持体１６を介して牽引ロープ１８をハンドルロープ１４に取付けることにより、引き舟本体１２を図３の実線で示す位置から二点鎖線で示す左右位置に揺動させると、誘導体であるローラ４８が矢印ｒで示すように水平方向に回転しながらハンドルロープ１４をその長さ方向に移動させ、ローラ４８に沿って水平方向に移動回転させる。誘導体がローラ４８で形成されていることにより、外周溝４８ａがハンドルロープ１４を案内することで、このハンドルロープ１４は脱落することなく、極めて簡単かつ滑らかに移動する。したがって、牽引ロープ１８の方向は変化しない。逆に、牽引ロープ１８を介する牽引方向を変化させても、Ｕ字状のハンドルロープ１４は支持体１６の誘導体のローラ４８を介して取付けられたその両端側が支持体１６から出入りするようにハンドルロープの長手方向に移動して、引き舟本体１２から支持体１６までの長さを変えることができるため、牽引ロープ１８の方向と異なり、流れの上流に引き舟本体１２の前部が向くようになっているため、引き舟本体１２の船首方向は変化しない。引き舟本体１２は、水の流れの方向を向くようになっている。
【００２６】
図５は、実際に川の流れＦの中で釣人が横方向に移動するときの引き舟本体１２の状態を示す。
【００２７】
図５の（Ａ）に示すように、腰ベルトＷに牽引ロープ１８を止めた状態で釣人が矢印Ｓ方向に移動すると、支持体１６を介してその両端側が長孔５２ａ，５２ｂから突出したハンドルロープ１４はその両端側が長孔５２ａ，５２ｂから出入りするようにして水面に沿って移動し、引き舟本体１２に不自然力を作用させない。これにより、引き舟本体１２は流れＦの方向を向いたまま、中央に示す釣人の下流側に移動する。逆に、矢印Ｐの方向に移動した場合も、引き舟本体１２は、川の流れＦに船首側を向けたまま、釣人の下流側に移動する。引き舟本体１２は、船首側から抵抗を受けるため、抵抗を受ける面積が小さく、釣人に掛かる負荷も小さい。支持体１６を介してハンドルロープ１４が水面に沿って移動することにより、ハンドルロープ１４がローラ４８に誘導されて移動する際、引き舟本体１２には不自然な力が作用しない。このため、釣り用引き舟１０を水の流れに対して斜めに引き込んだ場合であっても、引き舟本体１２を安定した姿勢を保ちつつ引き寄せることができる。内部に収容したおとりの活き活きとした状態を保つことができる。
【００２８】
一方、図５の（Ｂ）に示すように、支持体９がハンドルロープ８に固定されている従来の釣り用引き舟７の場合は、引き舟本体６の船首部が常に牽引ロープ５の方向を向く。したがって、釣人が矢印Ｓあるいは矢印Ｐの方向に移動する際、引き舟本体６に流れＦが作用する面積が増大し、釣人に大きな負荷が掛かる。また、引き舟本体６に対する斜め方向からの水の流れＦで、引き舟本体６の動きが不自然で不安定になり、釣り人への負荷も大きく、転覆する可能性が高まる。また、引き舟本体６の不自然な動きにより転覆する虞があり、おとりに与える負荷も大きく、おとりが傷付く可能性も増大する。
【００２９】
図６から図８は、他の実施形態による釣り用引き舟を示す。なお、以下に示す種々の実施形態あるいは変形例は、基本的には上述の実施形態と同様であり、同様な部位には同様な符号を付してその詳細な説明を省略する。
【００３０】
図６の釣り用引き舟１０Ａは、ハンドルロープ１４をローラ５８に固定したものである。ローラ５８に対する固定は、図示のようにハンドルロープ１４の切断端部を固定することに代え、巻掛けた状態で固定してもよい。また、ローラ５８の周部に１回以上巻掛けた状態で固定してもよい。
【００３１】
上述の実施形態と同様に、牽引ロープ１８に対して引き舟本体１２を揺動させても、牽引ロープ１８の方向は変化せず、逆に、牽引ロープ１８を介する牽引方向を変化させても引き舟本体は１２は流れの方向を向いて、引き舟本体１２の船首方向が変化することはない。
【００３２】
図７は、引き舟本体１２側にも支持軸６６にローラ６８を回転自在に装着し、このローラ６８と、支持体１６に設けたローラ４６とに１本のハンドルロープ５４を巻掛けたものである。図７に示すローラ６８は、支持体１６のローラ４８よりも大径に形成してあるが、より小径のローラ（図示しない）を複数設けてもよい。
【００３３】
図８は、誘導体として、ハンドルロープ１４上を移動する支持ブロック７８を設けたものである。この支持ブロック７８は、支持体１６のベース部材３６と一体形成したもので、ハンドルロープ１４が摺動する水平方向の円弧状面（誘導体）７８ａを有する。この実施形態では、長辺側の側壁部３６ｃに形成してあるが、側壁部３６ｃから離隔させて形成してもよい。このように円弧状の摺動面７８ａを形成した支持ブロック７８を支持体１６のベース部材３６に形成することにより、構造を極めて簡略化することできる。なお、この場合のハンドルロープ１４は、円弧状面７８ａを摺動し易い例えば合成樹脂繊維の紐等で形成することが好ましい。
【００３４】
以上、種々の実施形態および変形例について説明してきたが、本発明の釣り用引き舟１０はいずれか１つの実施形態あるいは変形例に限定されるものではなく、それぞれ適宜に変更し、組合せ可能なことは明らかである。例えば、図８に示す支持ブロック７８で形成する誘導体と、図７に示す引き舟本体１２に設けたローラ６８とを組み合わせることも可能である。また、引き舟本体１２の内部構造について様々に形成することができる。
【図面の簡単な説明】
【００３５】
【図１】本発明の好ましい実施形態による釣り用引き舟の説明図。
【図２】図１の釣り用引き舟の拡大説明図。
【図３】図１の釣り用引き舟の作動を説明する説明図。
【図４】図３のＩＶ−ＩＶ線に沿う部分断面図。
【図５】水の流れと釣り用引き舟の姿勢との関係を示し、（Ａ）は図１の実施形態による引き舟の作動を示す説明図、（Ｂ）は比較例である従来の引き舟の作動を示す説明図。
【図６】他の実施形態による釣り用引き舟の図３と同様な説明図。
【図７】更に他の実施形態による釣り用引き舟の説明図。
【図８】更に他の実施形態による釣り用引き舟の図３と同様な説明図。
【符号の説明】
【００３６】
１０…釣り用引き舟、１２…引き舟本体、１４…ハンドルロープ、１６…支持体、１８…牽引ロープ、４８…ローラ（誘導体）。
【図１】
2008011701.tif 000003
【図２】
2008011701.tif 000004
【図３】
2008011701.tif 000005
【図４】
2008011701.tif 000006
【図５】
2008011701.tif 000007
【図６】
2008011701.tif 000008
【図７】
2008011701.tif 000009
【図８】
2008011701.tif 000010